(57)【要約】【課題】遊技機島の補給樋からパチンコ機裏面の賞球タンクにパチンコ球を補給する補給装置によってパチンコ機内枠の開閉を検出する。【解決手段】パチンコ機内枠の開閉により賞球タンク１１の側壁に係合して第１状態（一点破線）と第２状態（実線）とに交互に回動可能に開閉レバー６１を軸支し、回転軸近傍から、先端に排出部７０を有する排出腕６２を突設する。排出部７０は第１状態でパチンコ球の補給状態になり、第２状態で補給停止状態になる。開閉レバー６１の上端部には突起部６３があり、内枠が開いて開閉レバー６１が第２の状態になったときこの突起部６３によって押圧される箇所にスイッチ５４が配置されている。【選択図】図１
2005204688.tif 000002
【特許請求の範囲】
【請求項１】
遊技機島内の補給経路から供給されるパチンコ球を、この遊技機島に列設されたパチンコ機の背面に設置された賞球タンクに補給するパチンコ球補給装置であって、
前記遊技機島に取り付けられるベース部と、
前記パチンコ機の内枠の開閉に伴って移動する前記賞球タンクの側壁と係合して、前記内枠を閉じたときの第１の状態と、開いたときの第２の状態とに交互に回動可能に前記ベース部に軸支された開閉レバーと、
前記開閉レバーから突出して設けられ、先端にパチンコ球の排出部が位置する排出腕と、
前記開閉レバーが前記第１の状態のとき前記排出部からパチンコ球が流出可能な補給状態を形成し前記第２の状態のとき前記排出部からパチンコ球が流出不能な補給停止状態を形成するパチンコ球流出阻止機構と、
前記補給経路から供給されるパチンコ球を前記排出部へ案内する案内路と、
前記開閉レバーを前記第１の状態から前記第２の状態へ回動する方向に付勢する付勢部材と
を有するパチンコ球補給装置において、
前記開閉レバーの回動によってオンオフされるスイッチを設けた
ことを特徴とするパチンコ球補給装置。
【請求項２】
前記スイッチは、前記開閉レバーが前記第１の状態と前記第２の状態のいずれにあるかに応じてオンオフして、前記内枠の開閉状態を検知する
ことを特徴とする請求項１に記載のパチンコ球補給装置。
【請求項３】
前記開閉レバーと共に回動するカムを設け、開閉レバーが所定の角度範囲にあるときスイッチがオンするようにした
ことを特徴とする請求項１または２に記載のパチンコ球補給装置。
【請求項４】
前記開閉レバーと共に回動するカムを設け、このカムにより前記スイッチをオンオフするように構成するとともに、前記開閉レバーが前記第２の状態の手前の所定角度より前記第２の状態側にあるか否かにより、前記カムが前記スイッチをオンオフするようにした
ことを特徴とする請求項１または２に記載のパチンコ球補給装置。
【発明の詳細な説明】
【技術分野】
【０００１】
本発明は、遊技機島の補給径路から供給されるパチンコ球を、この遊技機島に収容されたパチンコ機の裏面に設置された賞球タンクに常時連続的に補給するパチンコ球補給装置に関する。
【背景技術】
【０００２】
遊技機島の補給径路から供給されるパチンコ球をパチンコ機の裏面に設置された賞球タンクに補給するパチンコ球補給装置には、一定数のパチンコ球を単位に補給する定数補給方式と、常時連続的にパチンコ球を補給する常時補給方式とがある。近年のＣＲ機などは、賞球として払い出されたパチンコ球の数をパチンコ機側で計数しているので、パチンコ球補給装置としては、常時補給方式が一般的になっている。
【０００３】
常時補給方式を用いたパチンコ球補給装置は、たとえば、賞球を一列に整列して流下させる整列通路を備えた支持台と、この支持台に、パチンコ機の内枠を開閉したときに賞球タンクの側壁と係合して第１の状態と第２の状態とに交互に回動可能に軸支され、かつ前記整列通路と連通すると共にその先端が賞球タンク内に臨む補給筒と作動腕とが二又状に形成された回動補給部材と、この回動補給部材の回動に従動して整列通路から補給筒への賞品球の流下を制御する球止め部材とから構成されている（たとえば、特許文献１、特許文献２、特許文献３参照。）。
【０００４】
上記のパチンコ球補給装置では、内枠を閉じると、賞球タンクが回動補給部材の下方に進出し、この賞球タンクの背面側壁に押し上げられて作動腕が回動し、これに伴って補給筒の先端が賞球タンク内へ下降進入して第１の状態となり、球止め部材がパチンコ球の補給経路内から退避して、補給筒先端からのパチンコ球の流出が許容される。
【０００５】
一方、内枠を開くと、賞球タンクが回動補給部材の下方から退去して回動補給部材が内枠を閉じたときと逆方向に回動し、補給筒の先端が賞球タンクより上方まで上昇した第２の状態になるとともに、球止め部材がパチンコ球の補給通路内に突入して補給筒先端からのパチンコ球の流出が阻止されるようになっている。
【０００６】
【特許文献１】特開平３−７３１８１号公報
【特許文献２】実開平４−９２２８２号公報
【特許文献３】特開平３−１４９０７２号公報
【発明の開示】
【発明が解決しようとする課題】
【０００７】
ところで、従来は、パチンコ機の内枠の開閉を検知するスイッチをパチンコ機自身に設けていたので、パチンコ機のメーカや機種によって検知信号の出力形態が様々となり、検知信号を集約して管理する際の取り扱いが不便であるとともに、パチンコ機の入れ替えに係わる作業工数も増大するという問題があった。
【０００８】
本発明は、上記の問題を解決しようとする課題にするものであり、遊技機島の補給径路から供給されるパチンコ球を、この遊技機島に収容されたパチンコ機の裏面に設置された賞球タンクに補給するパチンコ球補給装置の側で、パチンコ機の内枠の開閉状態を検知可能にすることを目的としている。
【課題を解決するための手段】
【０００９】
請求項１に係わる発明は、遊技機島内の補給経路から供給されるパチンコ球を、この遊技機島に列設されたパチンコ機の背面に設置された賞球タンク（１１）に補給するパチンコ球補給装置であって、
前記遊技機島に取り付けられるベース部（３１、３２、３３）と、
前記パチンコ機の内枠（１３）の開閉に伴って移動する前記賞球タンク（１１）の側壁と係合して、前記内枠（１３）を閉じたときの第１の状態と、開いたときの第２の状態とに交互に回動可能に前記ベース部（３１、３２、３３）に軸支された開閉レバー（６１）と、
前記開閉レバー（６１）から突出して設けられ、先端にパチンコ球の排出部（７０）が位置する排出腕（６２）と、
前記開閉レバー（６１）が前記第１の状態のとき前記排出部（７０）からパチンコ球が流出可能な補給状態を形成し前記第２の状態のとき前記排出部（７０）からパチンコ球が流出不能な補給停止状態を形成するパチンコ球流出阻止機構（７３、７４）と、
前記補給経路から供給されるパチンコ球を前記排出部（７０）へ案内する案内路（８０）と、
前記開閉レバー（６１）を前記第１の状態から前記第２の状態へ回動する方向に付勢する付勢部材（８０）と
を有するパチンコ球補給装置において、
前記開閉レバー（６１）の回動によってオンオフされるスイッチ（５４）を設けた
ことを特徴とするパチンコ球補給装置である。
【００１０】
上記発明によれば、パチンコ機の内枠（１３）を開閉すると、これに伴って移動する賞球タンク（１１）の側壁に係合して開閉レバー（６１）が、内枠（１３）を閉じたときの第１の状態と、開いたときの第２の状態とに交互に回動する。また、開閉レバー（６１）から突設された排出腕（６２）も一体に回動し、開閉レバー（６１）が第１の状態のとき、先端の排出部（７０）が賞球タンク（１１）内に進入してパチンコ球の補給状態になり、開閉レバー（６１）が第２の状態になると賞球タンク（１１）から退避して補給停止状態になる。また、第１の状態から第２の状態への復帰力はバネ等の付勢部材（８０）によって与えられる。
【００１１】
スイッチ（５４）は、パチンコ機の内枠（１３）の開閉に連動して回動する開閉レバー（６１）によってオンオフされる。したがって、このスイッチ（５４）を、パチンコ球補給装置が補給状態と補給停止状態のいずれにあるかを検出したり、内枠（１３）の開閉状態を検出したりするために利用することができる。
【００１２】
請求項２に係わる発明は、前記スイッチ（５４）は、前記開閉レバー（６１）が前記第１の状態と前記第２の状態のいずれにあるかに応じてオンオフして、前記内枠（１３）の開閉状態を検知する
ことを特徴とする請求項１に記載のパチンコ球補給装置である。
【００１３】
上記発明によれば、内枠（１３）の開閉状態がパチンコ球補給装置に設けたスイッチ（５４）により検出される。パチンコ機に設けたスイッチ（５４）で内枠（１３）の開閉を検出する場合には、検知信号の出力形態がパチンコ機のメーカや機種によって様々となるが、パチンコ機補給装置側で内枠（１３）の開閉を検出するので、パチンコ機の機種やメーカに左右されず、検知信号の一律な管理が可能になる。
【００１４】
請求項３に係わる発明は、前記開閉レバー（６１）と共に回動するカム（６５）を設け、開閉レバー（６１）が所定の角度範囲にあるときスイッチ（５４）がオンするようにした
ことを特徴とする請求項１または２に記載のパチンコ球補給装置である。
【００１５】
上記発明によれば、開閉レバー（６１）が第１の状態と第２の状態のときに交互に回動する中の所定の角度範囲においてスイッチ（５４）がオンになる。たとえば、補給状態が形成される角度範囲においてスイッチ（５４）がオンするように設定したり、内枠（１３）が少しでも開くかあるいは隙間から手が入る程度以上に内枠（１３）が開いている角度範囲においてスイッチ（５４）がオンするように設定したりすることができる。
【００１６】
請求項４に係わる発明は、前記開閉レバー（６１）と共に回動するカム（６５）を設け、このカム（６５）により前記スイッチ（５４）をオンオフするように構成するとともに、前記開閉レバー（６１）が前記第２の状態の手前の所定角度より前記第２の状態側にあるか否かにより、前記カム（６５）が前記スイッチ（５４）をオンオフするようにした
ことを特徴とする請求項１または２に記載のパチンコ球補給装置である。
【００１７】
上記発明によれば、第２の状態の手前の所定の角度範囲においてスイッチ（５４）が反応する。たとえば、設置対象のどのパチンコ機においても内枠（１３）を完全に閉じたときはスイッチ（５４）がオフまたはオンになる条件下で極力大きくなるように前記角度範囲を設定すると、不正なこじ開けなどを的確に検出することが可能になる。
【発明の効果】
【００１８】
本発明に係わるパチンコ球補給装置によれば、パチンコ機の内枠の開閉に連動して回動する開閉レバーによってオンオフされるスイッチを設けたので、このスイッチを利用して、パチンコ球補給装置が補給状態と補給停止状態のいずれにあるかを検出したり、内枠の開閉状態を検出したりすることができる。
【００１９】
特に、パチンコ機の内枠の開閉を検知すれば、パチンコ機側に内枠の開閉を検知するスイッチを設ける必要がないとともに、検知信号の出力形態がパチンコ機の機種やメーカに左右されず、一律になる。その結果、開閉検出用の検知信号を集約して管理する際の取り扱いが容易になるとともに、パチンコ機を入れ替えても、内枠の開閉の検知に係わる部分に変更がなく、台入れ替えの作業工数が低減するという利点がある。
【００２０】
開閉レバーと共に回動するカムを設け、開閉レバーが所定の角度範囲にあるときスイッチがオンするようにしたものでは、目的とする状態がある角度範囲で生じる場合にも、その目的とする状態を的確に検出することができる。たとえば、パチンコ機の機種により賞球タンクの位置や大きさに違いがあり、内枠を完全に閉じたときの開閉レバーの角度に違いが生じる。このような場合でも、一定の角度範囲でスイッチがオンするので、パチンコ機の機種に係らず内枠の開閉状態を検出することができる。
【００２１】
特に、第２の状態の手前の所定の角度範囲においてスイッチが反応するように構成したものでは、不正なこじ開けなどによって内枠が少し開いたことを的確に検出することが可能になる。
【発明を実施するための最良の形態】
【００２２】
以下、図面に基づき本発明の実施の形態を説明する。
【００２３】
図２は、パチンコ機１０と玉貸機２とを一組としたものを多数列設収容した遊技機島２０の一部を示している。遊技機島２０の上部には、パチンコ球を遊技機島２０の中央上部に設置された図示省略の上部タンクから島端に向けて流すための玉補給樋２１が架け渡してある。
【００２４】
この玉補給樋２１の途中には、流下するパチンコ球を取り込むための玉取入器２２が各パチンコ機１０に対応して取り付けてある。玉取入器２２によって取り込まれたパチンコ球は、蛇腹状の玉補給管２３を通じて各パチンコ機１０に供給される。また、遊技機島２０の下部には、各パチンコ機１０から排出されたパチンコ球を島中央に設置された図示省略の揚送研磨装置へ回収するための回収樋２４が島端から島中央に向けて下方傾斜するように架け渡してある。揚送研磨装置は、回収されたパチンコ球を研磨しながら上部タンクまで搬送する機能を果たし、パチンコ球は島内で循環して再利用される。
【００２５】
このほか遊技機島２０の内部には、玉貸機２に投入された紙幣を島端の金庫へ搬送する紙幣搬送機２５や、玉貸機２に投入された硬貨を搬送するコイン搬送機２６などが設置されている。
【００２６】
図３および図４は、本発明に係わるパチンコ球補給装置３０の遊技機島２０への取り付け状態等を示している。図３は、パチンコ機１０を背面側から見た様子を、図４は、パチンコ機１０を側方から見た際の部分断面を示している。
【００２７】
パチンコ機１０は、遊技機島２０の横桟２７に支持固定される方形状の外枠１２を有し、この外枠１２の前方の縦一側端にヒンジを介して内枠１３が開閉自在に取り付けられている。この内枠１３に、図示省略の遊技盤や回路部品などパチンコ機１０を構成する部品の大部分が装着されている。
【００２８】
内枠１３の裏面上部には、玉補給管２３を通じて供給されるパチンコ球を一時的に貯留するための賞球タンク１１が取り付けてある。賞球タンク１１内のパチンコ球は、パチンコ機１０の正面に設けられた上受け皿１４（図２参照）に景品球（賞球）や貸玉として払い出される。
【００２９】
パチンコ球補給装置３０は、各パチンコ機１０が有する賞球タンク１１の上方に位置するように遊技機島２０の横桟２７に取り付けられる。パチンコ球補給装置３０は、玉補給管２３を通じて供給されるパチンコ球を賞球タンク１１へ、飛び出しの無い様に排出して補給するものであり、常時連続的にパチンコ球を補給する常時補給方式の補給装置である。
【００３０】
内枠１３の裏面に取り付けられている賞球タンク１１や各種の部品は、内枠１３の開閉に伴って外枠１２に対して開閉移動する。したがって、内枠１３を閉じると、図１に示すように賞球タンク１１はパチンコ球補給装置３０の下方へ進出し（一点破線で表示）、内枠１３を開くとパチンコ球補給装置３０の下方から賞球タンク１１が退却（実線で表示）するようになっている。
【００３１】
次に、図１及び図５から図１７を参照してパチンコ球補給装置３０の構成および機能を説明する。図５、図６等に示すように、パチンコ球補給装置３０は、断面Ｌ字状に平板を屈曲させた取付ベース３１と、この取付ベース３１の一辺に溶接等で固定されたスライドレール部３２と、スライドレール部３２にスライド可能に取り付けられたホルダー部３３とを備え、このホルダー部３３にパチンコ球を補給するための各種の部品が取り付けられている。
【００３２】
パチンコ球補給装置３０は、図１および図３に示すように、取付ベース３１のＬ字の角と横桟２７の下端手前の角とを合わせた状態で横桟２７に螺子止めされて遊技機島２０に取り付けられる。なお、取付ベース３１とスライドレール部３２とホルダー部３３とによりベース部が構成される。
【００３３】
図５、図６等に示すよう、スライドレール部３２は、上部が取付ベース３１に固定された矩形板状の底面部３４と、その左右両端に立設された右側壁３５と左側壁３６とから構成される。これらの側壁３５、３６にはそれぞれ底面部３４と平行に延びるスライドガイド穴３７、３８が形成されている。また左側壁３６には、スライドガイド穴３８に沿って並ぶ複数の位置決め穴３９が設けてある（図６参照）。
【００３４】
ホルダー部３３の左端にはスライドレール部３２の左側壁３６と近接対面する内側壁４１があり、ホルダー部３３の右端にはスライドレール部３２の右側壁３５のスライドガイド穴３７に係合する係合片４２が設けてある。また、内側壁４１には、スライドレール部３２の左側壁３６の位置決め穴３９に係合する突起と、螺子穴とが設けて有る。
【００３５】
ホルダー部３３は、係合片４２をスライドレール部３２の右側壁３５のスライドガイド穴３７に挿入し、内側壁４１の突起を位置決め穴３９に嵌めた状態で、スライドレール部３２の左側壁３６の外側からスライドガイド穴３８を通して蝶ボルト４３を先の螺子穴に締め込むことでスライドレール部３２に固定される。蝶ボルト４３を緩めることで、パチンコ機１０の賞球タンク１１と遊技機島２０の横桟２７との距離に応じてホルダー部３３を上下にスライドさせて適宜の位置に固定することができるようになっている。
【００３６】
図５は、ホルダー部３３を最下端にスライドさせて固定した状態におけるパチンコ球補給装置３０の正面を、図６はこの状態におけるパチンコ球補給装置３０の左側面をそれぞれ示している。また図７は、ホルダー部３３を最上端にスライドさせて固定した状態におけるパチンコ球補給装置３０の正面を、図８は、この状態におけるパチンコ球補給装置３０の左側面をそれぞれ示している。
【００３７】
ホルダー部３３の右上部には、玉補給管２３の下端部が接続される接続プラグ５１がその接続口を上向きにして支持されている。また、ホルダー部３３の左下部には、スライドレール部３２の底面部３４に対して垂直手前に突出した断面下向きコの字の支持腕５２が設けてある。この支持腕５２の先端に、開閉レバー６１が底面部３４と平行かつ横向きの回転軸５３で軸支されている。
【００３８】
開閉レバー６１は、図１に示すように、内枠１３の開閉に応じて賞球タンク１１の側壁（詳細には背面端）と係合し、内枠１３を閉じたときの第１の状態と、内枠１３を開いたときの第２の状態とに交互に回動するようになっている。第１の状態は、内枠１３を閉じたときに進出した賞球タンク１１の背面壁に開閉レバー６１が押し上げられた状態（図１４または図１の一点破線で示す状態）である。
【００３９】
第２の状態は、内枠１３を開いたときに賞球タンク１１の退却に追従し、開閉レバー６１が略鉛直下方向きとなった状態（図１５または図１の実線で示す状態）である。開閉レバー６１の回動範囲は、支持腕５２の上面と開閉レバー６１との接触により規制される。なお、図１において第２の状態における案内管８０や排出ノズル７２については破線で示してある。
【００４０】
開閉レバー６１には、軸支された基端側から排出腕６２が突設されており、開閉レバー６１と排出腕６２とにより、全体として略Ｌ字状のコック部材６０を成している。排出腕６２の先端には、図１、図５、図７等に示すように、パチンコ球の排出部７０が設けて有る。
【００４１】
排出部７０は、排出腕６２の先端に形成されかつ開閉レバー６１を軸支する回転軸５３と平行に延びる略円筒状の空洞部７１（図１０参照）と、この空洞部７１に嵌入される図１１〜図１３等に示した排出ノズル７２と、空洞部７１に開設されたアウター排出口７３（図９、図１０等参照）と、排出ノズル７２に開設されたインナー排出口７４（図１１、図１２等参照）とから構成されている。
【００４２】
なお、図９は、コック部材６０の正面を、図１０は、コック部材６０の図９におけるＡ−Ａ断面をそれぞれ示している。また、図１１は、排出ノズル７２の正面を、排出ノズル７２の図１１におけるＢ−Ｂ断面を、図１３は、空洞部７１に排出ノズル７２を嵌入した状態をそれぞれ示している。
【００４３】
図９に示すように、アウター排出口７３は、空洞部７１の周壁のうち排出腕６２の先端部分に開設されており、パチンコ球１個が丁度通る大きさを有している。アウター排出口７３は、開閉レバー６１が第１の状態となったとき、真下（賞球タンク１１の底面を臨む方向）または斜め下方を向くようになっている。排出ノズル７２は、図１１および図１３に示すように、インナー排出口７４が周壁に開設され、かつ空洞部７１に嵌入される側の軸腕７５と、接続腕７６とが略Ｌ字に屈曲した形状を備えている。
【００４４】
軸腕７５は、インナー排出口７４よりも先へパチンコ球が行かないように先端側が封鎖されている。インナー排出口７４は、軸腕７５の周壁に楕円状もしくは長穴状に開設されており、その短径がパチンコ球の直径よりわずかに大きくなるように設定されている。
【００４５】
排出腕６２先端の空洞部７１と、これに嵌入された排出ノズル７２とが相対的に回転してアウター排出口７３とインナー排出口７４との穴位置が合うと、パチンコ球が排出ノズル７２の内部からアウター排出口７３を通って流出可能な補給状態となる。インナー排出口７４が楕円状を成しているので、空洞部７１と排出ノズル７２との相対位置が一定の角度範囲で補給状態が形成されるようになっている。
【００４６】
一方、アウター排出口７３とインナー排出口７４との穴位置がずれると、パチンコ球が排出ノズル７２の内部からアウター排出口７３を通って流出し得ない補給停止状態となる。このように排出部７０は、パチンコ球が流出可能な補給状態と流出不能な補給停止状態とを切り替えるパチンコ球流出阻止機構としての機能を備えている。
【００４７】
また、図９に示すように、開閉レバー６１の基端側の上部端面には突起部６３が突設されている。図５および図７に示すように、開閉レバー６１を軸支する支持腕５２の上面部には、第２の状態となった開閉レバー６１の突起部６３と対面する位置に図示省略の穴が開設されており、アクチュエータがこの穴を上方から丁度臨むようにしてスイッチ５４が取り付けてある。開閉レバー６１が図５や図７に示した第２の状態に位置するとき、スイッチ５４のアクチュエータが突起部６３に押されてオンするようになっている。ここでは、スイッチ５４として常開型の接点（ａ接点）を有するマイクロスイッチを使用している。
【００４８】
また、図５、図７に示すように、接続プラグ５１の下端部と排出ノズル７２の接続腕７６の端部とは、パチンコ球の案内管８０で接続されている。案内管８０は弾性を有するとともに、パチンコ球が円滑に通過し得る内径を所定量伸張した状態でも保持可能に構成されている。ここでは、案内管８０として線状のバネを巻回したコイルバネを用いている。案内管８０は、図１５または図１の実線で示す第１の状態のとき、フリーの状態よりもわずかに伸張されるようにその長さが設定されている。
【００４９】
案内管８０が接続プラグ５１の下端部に固定された位置Ａと（図１４参照）、開閉レバー６１の回転軸５３の位置Ｂと、案内管８０が排出ノズル７２の接続腕７６先端に係止された位置Ｃ（あるいは排出ノズル７２の回転中心）との位置関係は以下のように設定されている。すなわち、接続プラグ５１への固定端の位置Ａを、開閉レバー６１の回転軸の位置Ｂよりも、パチンコ機１０の存する側（取付ベース３１側）にする。また、開閉レバー６１が第１の状態（開閉レバー６１側へ最大限に回動した状態）になったとき、接続プラグ５１の下端部に固定された位置Ａと開閉レバー６１の回転軸の位置Ｂとを結ぶ直線（図示せず）を、接続腕７６先端に案内管８０が係止されている位置Ｃが越えないようにしてある。
【００５０】
さらに、図１４の第１の状態で位置Ａと位置Ｃを結ぶ直線（図示せず）と、図１５の第２の状態で位置Ａと位置Ｃとを結ぶ直線（図示せず）との角度差ができるだけ大きくなるようにすると、大きな復元力を得ることができる。具体的には、接続プラグ５１の下端に案内管８０を固定した位置Ａをできるだけ下げる。限界条件は、図１５の第２の状態において案内管８０がわずかに伸張し、かつ図１４の第１の状態に伸張した状態で案内管８０が降伏点を越えないことになる。
【００５１】
次に、パチンコ球補給装置３０の作用を説明する。  
パチンコ機１０の内枠１３を閉じると、図１４に示すように賞球タンク１１が矢印９１の示す方向へ移動してパチンコ球補給装置３０の下方へ進出する。これにより、開閉レバー６１が賞球タンク１１の側壁、詳細には賞球タンク１１の背面の側壁上端に係合して押し上げられ、図１４では開閉レバー６１が右周りに回動して第１の状態になる。このとき、案内管８０は伸張するが、パチンコ球が通過し得る内径が保持されるので、玉補給管２３を通じて供給されたパチンコ球は、案内管８０を通って排出ノズル７２内へ至る。
【００５２】
また、案内管８０によって排出ノズル７２の接続腕７６上端を常に接続プラグ５１の下端方向に引っ張るので、開閉レバー６１が第２の状態から第１の状態へ回動すると、排出腕６２の先端に設けた排出部７０の空洞部７１と排出ノズル７２とが相対回転し、図１６に示すように、アウター排出口７３とインナー排出口７４の穴位置が合い、パチンコ球が排出ノズル７２からインナー排出口７４およびアウター排出口７３を通って賞球タンク１１へ排出され得る補給状態になる。
【００５３】
補給状態において、賞球タンク１１内に貯留されているパチンコ球がアウター排出口７３からの流出を阻害しなければ、パチンコ球がアウター排出口７３を通じて賞球タンク１１内へ実際に排出される。このとき、アウター排出口７３は、ほぼ真下を向いており、パチンコ球は、賞球タンク１１の底面に向けて排出される。一方、賞球タンク１１内に貯留されているパチンコ球がアウター排出口７３近傍にあってここからの流出を阻害するときは、アウター排出口７３からパチンコ球が出なくなり、賞球タンク１１への補給が停止する。このように、補給状態では、賞球タンク１１内にほぼ一定量のパチンコ球が貯留するように、自動的にパチンコ球の補給が調整される。
【００５４】
また、開閉レバー６１が第１の状態になると、図１４や図１６などに示すように、排出腕６２の先端が下降して賞球タンク１１の中に進入する。そして、この進入している部分にパチンコ球の排出口であるアウター排出口７３が存在するので、賞球タンク１１からパチンコ球が溢れる前にアウター排出口７３からの流出が賞球タンク１１内のパチンコ球に阻害されて補給が停止し、常時補給方式としての適切な補給動作が確保される。
【００５５】
さらに、内枠１３を閉じた第１の状態では、図１４に示すように、排出腕６２の先端（詳細には、排出ノズル７２の接続腕７６の先端）を接続プラグ５１の下端に向けて案内管８０によって引っ張るので、開閉レバー６１が第２の状態へ復帰するように付勢される。また、開閉レバー６１の基端側の上部端面に突設された突起部６３がスイッチ５４のアクチュエータから離れて、スイッチ５４がオフになる。
【００５６】
このような第１の状態からパチンコ機１０の内枠１３を開くと、賞球タンク１１が図１５の矢印９２の示す方向へ退却する。このとき、案内管８０の張力によって開閉レバー６１が第１の状態から回動（図１４、１５では左周りに回動）して第２の状態に復帰する。
【００５７】
また、案内管８０によって排出ノズル７２の接続腕７６の端部を常に接続プラグ５１の下端側へ引っ張るので、開閉レバー６１が第１の状態から第２の状態へ回動すると、これに伴って排出腕６２の先端の空洞部７１と排出ノズル７２とが相対回転する。その結果、図１６に示すように、アウター排出口７３とインナー排出口７４の穴位置がずれて、パチンコ球が排出ノズル７２内からアウター排出口７３を通って排出され得ない補給停止状態が形成される。
【００５８】
さらに、開閉レバー６１が第２の状態になると、図１に示すように第１の状態に比べて排出腕６２の先端が上昇し、排出腕６２全体が賞球タンク１１の外（上方）へ退避した状態になる。これにより、内枠１３を開閉したときに排出腕６２と賞球タンク１１との衝突が回避される。また、第２の状態になると、図５に示すように、開閉レバー６１の基端側の上部端面に突設された突起部６３がスイッチ５４のアクチュエータを押圧し、スイッチ５４がオンになる。
【００５９】
スイッチ５４のオンオフにより、たとえば、内枠１３の開閉状態を検知することができる。このほか、スイッチ５４のオンオフにより、開閉レバー６１が第１の状態と第２の状態のいずれにあるか、パチンコ球流出機構が補給状態と補給停止状態のいずれにあるか等を検出することができる。
【００６０】
なお、インナー排出口７４が楕円状を成しているので、開閉レバー６１が第２の状態から第１の状態へ回動する途中から第１の状態に至るまでの所定の角度範囲において、補給状態が形成される。これにより、賞球タンクのサイズの違い等により、パチンコ機の内枠１３を閉じても開閉レバー６１が完全に第１の状態に至らないような場合でも、パチンコ球の補給が可能になり、様々な機種への適合が可能になる。
【００６１】
また、第１の状態から第２の状態へ回動する途中で補給状態から補給停止状態に切り替わるので、内枠を開く際に、賞球タンクからのパチンコ球の飛び出しが生じる前に補給停止状態にすることができる。ここでは、第２の状態から第１の状態側へ約３０度回動した箇所で補給状態と補給停止状態とが切り替わるようになっている。
【００６２】
このほか、賞球タンク１１内にパチンコ球が積み上がっている状態で内枠１３を開くと、空洞部７１と排出ノズル７２との相対回転によってアウター排出口７３とインナー排出口７４との位置がずれて行く過程で排出口にパチンコ球を挟み込む可能性がある。しかし、パチンコ球の挟み込みが生じて空洞部７１と排出ノズル７２との相対回転が不能になっても、開閉レバー６１の回動には影響を与えないので、パチンコ球を挟み込んだ状態のままで開閉レバー６１が第２の状態に復帰して内枠１３を円滑に開くことができる。この挟み込みは、内枠１３を閉じて開閉レバー６１が第１の状態へ変位過程で自然に解除される。
【００６３】
また、第１の状態において排出腕７２の賞球タンク１１内への進入量を少なくし得たのは、空洞部７１と排出ノズル７２との相対回転によるパチンコ球流出阻止機構を採用することで、補給状態でのアウター排出口７３を下方や斜め下方に向けることができたことにもよる。すなわち、横方向にパチンコ球を排出する場合には飛び出し防止のために排出口を賞球タンクの底面近くまで進入させなければならないが、下向きに排出口を設けることでパチンコ球が賞球タンク１１の外へ飛び出し難くなったので、進入量を少なくすることが可能になっている。
【００６４】
図１８および図１９は、突起部６３に代えて、開閉レバー６１ａの基端側の上部端面にカム６５を設けたコック部材６０ａの一例を示している。突起部６３の場合には、開閉レバー６１がほぼ完全に第２の状態にあるときだけスイッチ５４がオンする。これに対し、カム６５を用いたものでは、開閉レバー６１ａが所定の角度範囲にある間、スイッチ５４がオンするようになっている。
【００６５】
図１９は、カム６５によってスイッチ５４がオンオフされる様子を示している。スイッチ５４のアクチュエータ５５は、開閉レバー６１ａが第２の状態の手前の約３０度の範囲においてカム６５に押圧され、この角度範囲においてスイッチ５４がオンする。これにより、ある程度開いた時点で内枠１３の開放を検知することができ、たとえば、少しだけ内枠１３をこじ開けて行なう不正な行為を検出することが可能になる。
【００６６】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、パチンコ球流出阻止機構は、ソレノイド等で駆動することによってピンをパチンコ球の通路内に出没させる構成であってもよい。この場合、補給状態を形成してもパチンコ球が賞球タンク１１から飛び出さない位置に開閉レバー６１が存する角度範囲においてスイッチ５４がオンするように構成し、このスイッチ５４でソレノイド等への通電をオンオフするように構成してもよい。
【００６７】
また実施の形態では、第１の状態で排出部７０のアウター排出口７３がほぼ真下を向くように設定したが、賞球タンクから飛び出さない範囲で、斜め下方を向くように設定してもよい。なお、スイッチとして、アクチュエータが押された際に接点がオフ（ブレーク）する常閉型（ｂ接点）のスイッチを用いてもよい。また、スイッチは、マイクロスイッチに限定されるものではない。
【００６８】
さらに、パチンコ球補給装置の基本的構造は、実施の形態に示したものに限定されない。たとえば、排出部へパチンコ球を案内する通路を、開閉レバーの回転軸を太くしてその内部を空洞とし、この空洞と連通しかつ排出部まで通じる通路を排出腕内部に形成し、開閉レバーの一端から上記の空洞と通路を通じてパチンコ球を排出腕先端の排出部へ案内するように構成してもよい。
【図面の簡単な説明】
【００６９】
【図１】本発明の実施の形態に係わるパチンコ球補給装置の動きを示す説明図である。
【図２】パチンコ機と玉貸機とを一組としたものを多数列設収容した遊技機島の一部を示す正面図である。
【図３】本発明の実施の形態に係わるパチンコ球補給装置を遊技機島の横桟に取り付けた状態をパチンコ機の背面側から見た様子を示す説明図である。
【図４】本発明の実施の形態に係わるパチンコ球補給装置を遊技機島の横桟に取り付けた状態をパチンコ機の側方から見た様子を示す説明図である。
【図５】ホルダー部を最下端に移動させた状態のパチンコ球補給装置を示す正面図である。
【図６】ホルダー部を最下端に移動させた状態のパチンコ球補給装置を示す左側面図である。
【図７】ホルダー部を最上端に移動させた状態のパチンコ球補給装置を示す正面図である。
【図８】ホルダー部を最上端に移動させた状態のパチンコ球補給装置を示す左側面図である。
【図９】開閉レバーと排出腕とが一体に構成されたコック部材を示す正面図である。
【図１０】コック部材の図１０におけるＡ−Ａ断面図である。
【図１１】排出腕の先端の空洞部に嵌入される排出ノズルを示す正面図である。
【図１２】排出ノズルの図１１におけるＢ−Ｂ断面図である。
【図１３】空洞部に排出ノズルを嵌入した状態の一例を示す正面図である。
【図１４】開閉レバーが第１の状態にあるパチンコ球補給装置の右側面を示す説明図である。
【図１５】開閉レバーが第２の状態にあるパチンコ球補給装置の右側面を示す説明図である。
【図１６】アウター排出口とインナー排出口の穴位置が合って補給状態となった排出部の一例を示す断面図である。
【図１７】アウター排出口とインナー排出口の穴位置がずれて補給停止状態となった排出部の一例を示す断面図である。
【図１８】突起部に代えてカムを設けたコック部材の一例を示す右側面図である。
【図１９】コック部材のカムによってスイッチ５４がオンオフされる様子を示す説明図である。
【符号の説明】
【００７０】
２…玉貸機
１０…パチンコ機
１１…賞球タンク
１２…外枠
１３…内枠
１４…上受け皿
２０…遊技機島
２１…玉補給樋
２２…玉取入器
２３…玉補給管
２４…回収樋
２５…紙幣搬送機
２６…コイン搬送機
２７…横桟
３０…パチンコ球補給装置
３１…取付ベース
３２…スライドレール部
３３…ホルダー部
３４…底面部
３５…右側壁
３６…左側壁
３７、３８…スライドガイド穴
３９…位置決め穴
４１…内側壁
４２…係合片
４３…蝶ボルト
５１…接続プラグ
５２…支持腕
５３…回転軸
５４…スイッチ
５５…アクチュエータ
６０、６０ａ…コック部材
６１、６１ａ…開閉レバー
６２…排出腕
６３…突起部
６５…カム
７０…排出部
７１…空洞部
７２…排出ノズル
７３…アウター排出口
７４…インナー排出口
７５…軸腕
７６…接続腕
８０…案内管
９１…内枠を閉じたときに賞球タンクが進出する方向を示す矢印
９２…内枠を開いたときに賞球タンクが退却する方向を示す矢印
【図１】
2005204688.tif 000003
【図２】
2005204688.tif 000004
【図３】
2005204688.tif 000005
【図４】
2005204688.tif 000006
【図５】
2005204688.tif 000007
【図６】
2005204688.tif 000008
【図７】
2005204688.tif 000009
【図８】
2005204688.tif 000010
【図９】
2005204688.tif 000011
【図１０】
2005204688.tif 000012
【図１１】
2005204688.tif 000013
【図１２】
2005204688.tif 000014
【図１３】
2005204688.tif 000015
【図１４】
2005204688.tif 000016
【図１５】
2005204688.tif 000017
【図１６】
2005204688.tif 000018
【図１７】
2005204688.tif 000019
【図１８】
2005204688.tif 000020
【図１９】
2005204688.tif 000021